(57)【要約】【課題】検索対象となった収納物を利用者が容易に発見することができる収納物検索システム、収納物検索方法、及び印刷媒体を提供する。【解決手段】検索対象となった図書の大きさと規格サイズとを比較したサイズ比較画像４１ｃと、背表紙及び表表紙を示す図書識別画像４２ｃと、収納されている場所を示す収納位置画像４３ｃと、をカード４に印刷する。図書情報４０ｆ、図書識別画像４２ｃ及びサイズ比較画像４１ｃ等の図書情報と収納位置画像４３ｃ等の収納場所情報とはミシン目４ａによって分離可能となっている。【選択図】      図９
2006163809.tif 000002
【特許請求の範囲】
【請求項１】
複数の収納物の中から一定の条件に当てはまる検索対象を検索する検索手段と、
前記条件が入力される入力手段と、
前記検索対象の情報を出力する出力手段と、
を備えた収納物検索システムであって、
前記収納物の収納場所を画像で示す収納場所情報と前記収納物の外観を画像で示す画像情報と前記収納物の概要を示す収納物情報とを記憶する収納物情報記憶部をさらに備え、
前記出力手段は、前記情報として前記検索対象の前記収納物情報と前記画像情報と前記収納場所情報とを出力する
ことを特徴とする収納物検索システム。
【請求項２】
請求項１に記載の収納物検索システムにおいて、
前記出力手段は、前記情報を媒体に印刷する印刷手段を備える
ことを特徴とする収納物検索システム。
【請求項３】
請求項２に記載の収納物検索システムにおいて、
前記収納物情報は、前記収納物の大きさを含み、
前記印刷手段は、予め設定された物の大きさに対する前記検索対象の大きさを画像として印刷する
ことを特徴とする収納物検索システム。
【請求項４】
請求項２又は３に記載の収納物検索システムにおいて、
前記印刷手段は、複数の色を用いて印刷するカラー印刷機能を備える
ことを特徴とする収納物検索システム。
【請求項５】
請求項２〜４の何れか１項に記載の収納物検索システムにおいて、
前記媒体は、該媒体を第１片と第２片とに分離するための分離手段が設けられ、
前記第１片には、前記収納物情報が印刷され、
前記第２片には、前記収納場所情報が印刷される
ことを特徴とする収納物検索システム。
【請求項６】
請求項２〜５の何れか１項に記載の収納物検索システムにおいて、
前記印刷手段は、カードに印刷する
ことを特徴とする収納物検索システム。
【請求項７】
請求項６に記載の収納物検索システムにおいて、
前記カードは、紙から成る
ことを特徴とする収納物検索システム。
【請求項８】
請求項６に記載の収納物検索システムにおいて、
前記カードは、プラスチック樹脂から成る
ことを特徴とする収納物検索システム。
【請求項９】
複数の収納物の中から一定の条件に当てはまる検索対象を検索する収納物検索方法であって、
前記条件を入力する入力ステップと、
前記検索対象の情報として前記収納物の収納場所を画像で示す収納場所情報と前記収納物の外観を画像で示す画像情報と前記収納物の概要を示す収納物情報とを出力する出力ステップと、を備える
ことを特徴とする収納物検索方法。
【請求項１０】
請求項９に記載の収納物検索方法において、
前記出力ステップは、前記情報を媒体に印刷する印刷ステップを備える
ことを特徴とする収納物検索方法。
【請求項１１】
請求項１０に記載の収納物検索方法において、
前記収納物情報は、前記収納物の大きさを含み、
前記印刷ステップは、予め設定された物の大きさに対する前記検索対象の大きさを画像として印刷する
ことを特徴とする収納物検索方法。
【請求項１２】
請求項１０又は１１に記載の収納物検索方法において、
前記印刷ステップは、複数の色を用いて前記画像を印刷する
ことを特徴とする収納物検索方法。
【請求項１３】
請求項１０〜１２の何れか１項に記載の収納物検索方法において、
前記媒体は、該媒体を第１片と第２片とに分離するための分離手段が設けられ、
前記第１片には、前記収納物情報が印刷され、
前記第２片には、前記収納場所情報が印刷される
ことを特徴とする収納物検索方法。
【請求項１４】
請求項１０〜１３の何れか１項に記載の収納物検索方法において、
前記印刷ステップは、カードに印刷する
ことを特徴とする収納物検索方法。
【請求項１５】
複数の収納物の中から一定の条件に当てはまる検索対象を検索する検索手段によって検索された前記検索対象の情報として、前記収納物の収納場所を画像で示す収納場所情報と前記収納物の外観を画像で示す画像情報と前記収納物の概要を示す収納物情報とが記載されている
ことを特徴とする印刷媒体。
【請求項１６】
請求項１５に記載の印刷媒体において、
前記情報に加え、予め設定された物の大きさに対する前記検索対象の大きさが画像として記載されている
ことを特徴とする印刷媒体。
【請求項１７】
請求項１５又は１６に記載の印刷媒体において、
前記情報は、複数の色を用いて記載されている
ことを特徴とする印刷媒体。
【請求項１８】
請求項１５〜１７の何れか１項に記載の印刷媒体は、
前記収納物情報が印刷された第１片と、前記収納場所情報が印刷された第２片と、に分離するための分離手段を備える
ことを特徴とする印刷媒体。
【請求項１９】
請求項１５〜１８の何れか１項に記載の印刷媒体は、
紙からなる
ことを特徴とする印刷媒体。
【請求項２０】
請求項１５〜１８の何れか１項に記載の印刷媒体は、
プラスチック樹脂からなる
ことを特徴とする印刷媒体。
【請求項２１】
複数の収納物の中から一定の条件に当てはまる検索対象を検索する検索手段によって検索された前記検索対象の情報として、前記収納物の収納場所を画像で示す収納場所情報と前記収納物の外観を画像で示す画像情報と前記収納物の概要を示す収納物情報とを媒体に印刷する
ことを特徴とする印刷機。
【請求項２２】
請求項２１に記載の印刷機において、
前記収納物情報は、前記収納物の大きさを含み、
予め設定された物の大きさに対する前記検索対象の大きさを画像としてさらに印刷する
ことを特徴とする印刷機。
【請求項２３】
請求項２１又は２２に記載の印刷機において、
前記媒体は、該媒体を第１片と第２片とに分離するための分離手段が設けられ、
前記第１片には、前記収納物情報を印刷し、
前記第２片には、前記収納場所情報を印刷する
ことを特徴とする印刷機。
【請求項２４】
複数の収納物の中から一定の条件に当てはまる検索対象を検索するための収納物検索プログラムであって、
前記収納物の収納場所を画像で示す収納場所情報と前記収納物の外観を画像で示す画像情報と前記収納物の概要を示す収納物情報とを記憶する収納物情報記憶部を備えた管理コンピュータに、
前記条件を取得する入力処理と、
前記収納物情報記憶部から前記収納場所情報と前記画像情報と前記収納物情報とを出力する出力処理と、を実行させる
ことを特徴とする収納物検索プログラム。
【請求項２５】
複数の収納物の中から一定の条件に当てはまる検索対象を検索するための収納物検索プログラムを記憶した記憶媒体であって、
前記収納物検索プログラムは、前記収納物の収納場所を画像で示す収納場所情報と前記収納物の外観を画像で示す画像情報と前記収納物の概要を示す収納物情報とを記憶する収納物情報記憶部を備えた管理コンピュータに、
前記条件を取得する入力処理と、
前記収納物情報記憶部から前記収納場所情報と前記画像情報と前記収納物情報とを出力する出力処理と、を実行させる
ことを特徴とする記憶媒体。
【発明の詳細な説明】
【技術分野】
【０００１】
この発明は、所定の収納場所に収められている収納物の情報を提供する収納物検索システム、収納物検索方法、印刷媒体、印刷機、収納物検索プログラム、および記憶媒体に関するものである。
【背景技術】
【０００２】
図書館や大型のＣＤショップ等のように多数の収納物を管理する場所では、ネットワークを利用した収納物検索システムが用いられている。このような収納物検索システムは、収納物の概要とその収納場所とを記憶した記憶装置を有するサーバ装置と、検索条件を入力する端末装置とを備えており、端末装置を介して収納物に関する各種の情報を利用者に提供する。特許文献１にはその情報として収納物の収納場所を示す地図を表示するシステムが開示されている。利用者はこの地図をもとに収納物を探索することができるため目的の収納物を短時間で発見することができる。
【特許文献１】特開２００３−２３７９１５号公報
【発明の開示】
【発明が解決しようとする課題】
【０００３】
ところが、上述した収納物検索システムにおいては、返却間違い等によって収納物の実際の収容位置が表示された収納場所と異なる場合や、位置情報によって特定された収納場所が広範囲に及ぶ場合には収納物を発見することが困難となる。また、図書館やＣＤショップなどでは形状の似通った収納物が収められている場合が多く、目的とする収納物を特定するまでに時間を要する場合がある。
【０００４】
この発明は、こうした従来の実情に鑑みてなされたものであり、その目的は、検索対象となった収納物を利用者が容易に発見することができる収納物検索システム、収納物検索方法、及び印刷媒体を提供することにある。
【課題を解決するための手段】
【０００５】
上記目的を達成するため、本発明の第１の態様は、複数の収納物の中から一定の条件に当てはまる検索対象を検索する検索手段と、前記条件が入力される入力手段と、前記検索対象の情報を出力する出力手段と、を備えた収納物検索システムであって、前記収納物の収納場所を画像で示す収納場所情報と前記収納物の外観を画像で示す画像情報と前記収納物の概要を示す収納物情報とを記憶する収納物情報記憶部をさらに備え、前記出力手段は、前記情報として前記検索対象の前記収納物情報と前記画像情報と前記収納場所情報とを出力することを特徴とする収納物検索システムであることを要旨とする。
【０００６】
この構成によれば、収納場所情報をもとに収納場所付近にたどり着いた利用者は画像情報をもとに収納場所近辺を探索することができる。すなわち、収納場所情報に示された位置に収納されていなくとも画像情報をもとに探索することができる。また、検索条件によって検索された収納物は、実際に手に取るまで目的とする物かどうかの判断がされ難い。表紙やパッケージ等の収納物の外観は多くの情報を含んでいるため、利用者は収納物情報のみならず画像情報からも収納物の特徴を把握することが可能となり、収納場所に移動する前に目的とする収納物をより的確に把握することができる。
【０００７】
上述した収納物検索システムにおいては、前記出力手段は、前記情報を媒体に印刷する印刷手段を備えるといった構成を採用することができる。
このような出力手段の構成によれば、収納物に関する情報を印刷することにより、利用者はこれらの情報を携帯することが可能となり情報を随時確認しながら探索することができる。また、複数の収納物の検索結果を保持することができるため記憶に頼ることなく効率よく探索することができる。
【０００８】
上述した収納物検索システムにおいては、前記収納物情報は、前記収納物の大きさを含み、前記印刷手段は、予め設定された物の大きさに対する前記検索対象の大きさを画像として印刷するといった構成を採用することができる。
【０００９】
このような収納物情報の構成によれば、利用者は検索対象の収納物と他の収納物とを大きさで比較することが可能となるため、検索対象となった収納物と他の収納物とを大まかに識別することができる。よって、収納物の探索が容易となる。
【００１０】
上述した収納物検索システムにおいては、前記印刷手段は、複数の色を用いて印刷するカラー印刷機能を備えるといった構成を採用することができる。
このような印刷手段の構成によれば、カラー印刷されることによって収納物の外観や収納場所周辺の色彩情報が的確となり、より詳しい収納物情報及び収納場所情報を提供することができる。よって、利用者はより的確な収納物に関する情報を得ることができる。また、検索対象となる収納物と他の収納物とを色によって識別することが可能となるため探索が容易となる。
【００１１】
上述した収納物検索システムにおいては、前記媒体は、該媒体を第１片と第２片とに分離するための分離手段が設けられ、前記第１片には、前記収納物情報が印刷され、前記第２片には、前記収納場所情報が印刷されるといった構成を採用することができる。
【００１２】
このような構成の印刷手段によれば、分離手段により第１片に印刷された収納物情報と第２片に印刷された収納場所情報とを別体とすることが可能となる。よって、利用者は収納物情報と収納場所情報とを一体に保管することができるとともに、収納物情報または収納場所情報を備えた媒体をそれぞれの情報に応じた用途に用いることもできるため情報を有効に活用することができる。
【００１３】
上述した収納物検索システムにおいては、前記印刷手段は、カードに印刷するといった構成を採用することができる。
このような構成の印刷手段によれば、カードに印刷することにより管理することが容易となる。
【００１４】
上述した収納物検索システムにおいては、前記カードは、紙から成るといった構成を採用することができる。
このような構成のカードによれば、容易にカードの形状を変化させることができるため情報の携帯が容易となる。
【００１５】
上述した収納物検索システムにおいては、前記カードは、プラスチック樹脂から成るといった構成を採用することができる。
このような構成によれば、カードをプラスチック製とすることにより、保管に適した物となり印刷された情報の管理が容易となる。
【００１６】
この発明の第２の態様では、複数の収納物の中から一定の条件に当てはまる検索対象を検索する収納物検索方法であって、前記条件を入力する入力ステップと、前記検索対象の情報として前記収納物の収納場所を画像で示す収納場所情報と前記収納物の外観を画像で示す画像情報と前記収納物の概要を示す収納物情報とを出力する出力ステップと、を備えることを要旨としている。
【００１７】
このような構成によれば、収納場所情報をもとに収納場所付近にたどり着いた利用者は画像情報をもとに収納場所近辺を探索することができる。すなわち、収納場所情報に示された位置に収納されていなくとも画像情報をもとに探索することができる。また、検索条件によって検索された収納物は、実際に手に取るまで目的とする物かどうかの判断がされ難い。表紙やパッケージ等の収納物の外観は多くの情報を含んでいるため、利用者は収納物情報のみならず画像情報からも収納物の特徴を把握することが可能となり、収納場所に移動する前に目的とする収納物をより的確に把握することができる。
【００１８】
上述した収納物検索方法においては、前記出力ステップは、前記情報を媒体に印刷する印刷ステップを備えるといった構成を採用することができる。
このような構成によれば、収納物に関する情報を印刷することにより、利用者はこれらの情報を携帯することが可能となり情報を随時確認しながら探索することができる。また、複数の収納物の検索結果を保持することができるため記憶に頼ることなく効率よく探索することができる。
【００１９】
上述した収納物検索方法においては、前記収納物情報は、前記収納物の大きさを含み、前記印刷ステップは、予め設定された物の大きさに対する前記検索対象の大きさを画像として印刷するといった構成を採用することができる。
【００２０】
このような構成によれば、利用者は検索対象の収納物と他の収納物とを大きさで比較することが可能となるため、検索対象となった収納物と他の収納物とを大まかに識別することができる。よって、収納物の探索が容易となる。
【００２１】
上述した収納物検索方法においては、前記印刷ステップは、複数の色を用いて前記画像を印刷するといった構成を採用することができる。
このような構成によれば、カラー印刷されることによって収納物の外観や収納場所周辺の色彩情報が的確となり、より詳しい収納物情報及び収納場所情報を提供することができる。よって、利用者はより的確な収納物に関する情報を得ることができる。また、検索対象となる収納物と他の収納物とを色によって識別することが可能となるため探索が容易となる。
【００２２】
上述した収納物検索方法においては、前記媒体は、該媒体を第１片と第２片とに分離するための分離手段が設けられ、前記第１片には、前記収納物情報が印刷され、前記第２片には、前記収納場所情報が印刷されるといった構成を採用することができる。
【００２３】
このような構成によれば、分離手段により媒体に印刷された収納物情報と収納場所情報とを分離することが可能となる。よって、利用者は収納物情報と収納場所情報とを一体に保管することができるとともに、収納物情報または収納場所情報を備えた媒体をそれぞれの情報に応じた用途に用いることもできるため情報を有効に活用することができる。
【００２４】
上述した収納物検索方法において、前記印刷ステップは、カードに印刷するといった構成を採用することができる。
このような構成によれば、カードに印刷することにより管理することが容易となる。
【００２５】
この発明の第３の態様では、複数の収納物の中から一定の条件に当てはまる検索対象を検索する検索手段によって検索された前記検索対象の情報として、前記収納物の収納場所を画像で示す収納場所情報と前記収納物の外観を画像で示す画像情報と前記収納物の概要を示す収納物情報とが記載されている印刷媒体であることを要旨としている。
【００２６】
このような印刷媒体によれば、収納場所情報をもとに収納場所付近にたどり着いた利用者は画像情報をもとに収納場所近辺を探索することができる。すなわち、収納場所情報に示された位置に収納されていなくとも画像情報をもとに探索することができる。また、検索条件によって検索された収納物は、実際に手に取るまで目的とする物かどうかの判断がされ難い。表紙やパッケージ等の収納物の外観は多くの情報を含んでいるため、利用者は収納物情報のみならず画像情報からも収納物の特徴を把握することが可能となり、収納場所に移動する前に目的とする収納物をより的確に把握することができる。また、利用者はこれらの情報を携帯することが可能となり情報を随時確認しながら探索することができる。また、複数の収納物の検索結果を保持することができるため記憶に頼ることなく効率よく探索することができる。
【００２７】
上述した印刷媒体においては、前記情報に加え、予め設定された物の大きさに対する前記検索対象の大きさが画像として記載されているといった構成を採用することができる。
このような構成によれば、利用者は検索対象の収納物と他の収納物とを大きさで比較することが可能となるため検索対象となった収納物と他の収納物とを大まかに識別することができる。よって、収納物の探索が容易となる。
【００２８】
上述した印刷媒体においては、前記情報は、複数の色を用いて記載されているといった構成を採用することができる。
このような構成によれば、複数の色を用いて記載されることによって収納物の外観や収納場所周辺の色彩情報が的確となり、より詳しい収納物情報及び収納場所情報を提供することができる。よって、利用者はより的確な収納物に関する情報を得ることができる。また、検索対象となる収納物と他の収納物とを色によって識別することが可能となるため探索が容易となる。
【００２９】
上述した印刷媒体においては、前記収納物情報が印刷された第１片と、前記収納場所情報が印刷された第２片と、に分離するための分離手段を備えるといった構成を採用することができる。
【００３０】
このような構成によれば、分離手段により媒体に印刷された収納物情報と収納場所情報とを別体とすることが可能となる。よって、利用者は収納物情報と収納場所情報とを一体に保管することができるとともに、収納物情報または収納場所情報を備えた媒体をそれぞれの情報に応じた用途に用いることもできるため情報を有効に活用することができる。
【００３１】
上述した印刷媒体は、紙から成るといった構成を採用することができる。
このような構成によれば、容易にカードの形状を変化させることができるため情報の携帯が容易となる。
【００３２】
上述した印刷媒体は、プラスチック樹脂から成るといった構成を採用することができる。
このような構成によれば、カードをプラスチック製とすることにより、保管に適した物となり印刷された情報の管理が容易となる。
【００３３】
この発明の第４の態様では、複数の収納物の中から一定の条件に当てはまる検索対象を検索する検索手段によって検索された前記検索対象の情報として、前記収納物の収納場所を画像で示す収納場所情報と前記収納物の外観を画像で示す画像情報と前記収納物の概要を示す収納物情報とを媒体に印刷する印刷機であることを要旨としている。
【００３４】
このような印刷機によれば、収納場所情報と画像情報と収納物情報とが印刷された媒体を利用者に提供することができる。よって、収納場所情報をもとに収納場所付近にたどり着いた利用者は媒体に印刷されている画像情報をもとに収納場所近辺を探索することができる。すなわち、収納場所情報に示された位置に収納されていなくとも画像情報をもとに探索することができる。また、検索条件によって検索された収納物は、実際に手に取るまで目的とする物かどうかの判断がされ難い。表紙やパッケージ等の収納物の外観は多くの情報を含んでいるため、利用者は収納物情報のみならず画像情報からも収納物の特徴を把握することが可能となり、収納場所に移動する前に目的とする収納物をより的確に把握することができる。また、利用者はこれらの情報を携帯することが可能となり情報を随時確認しながら探索することができる。また、複数の収納物の検索結果を保持することができるため記憶に頼ることなく効率よく探索することができる。
【００３５】
上述した印刷機においては、前記収納物情報は、前記収納物の大きさを含み、予め設定された物の大きさに対する前記検索対象の大きさを画像としてさらに印刷するといった構成を採用することができる。
【００３６】
このような収納物情報の構成によれば、利用者は検索対象の収納物と他の収納物とを大きさで比較することが可能となるため検索対象となった収納物と他の収納物とを大まかに識別することができる。よって、収納物の探索が容易となる。
【００３７】
上述した印刷機においては、前記媒体は、該媒体を第１片と第２片とに分離するための分離手段が設けられ、前記第１片には、前記収納物情報を印刷し、前記第２片には、前記収納場所情報を印刷するといった構成を採用することができる。
【００３８】
このような構成の媒体によれば、分離手段により第１片に印刷された収納物情報と第２片に印刷された収納場所情報とを別体とすることが可能となる。よって、利用者は収納物情報と収納場所情報とを一体に保管することができるとともに、収納物情報または収納場所情報を備えた媒体をそれぞれの情報に応じた用途に用いることもできるため情報を有効に活用することができる。
【００３９】
この発明の第５の態様では、複数の収納物の中から一定の条件に当てはまる検索対象を検索するための収納物検索プログラムであって、前記収納物の収納場所を画像で示す収納場所情報と前記収納物の外観を画像で示す画像情報と前記収納物の概要を示す収納物情報とを記憶する収納物情報記憶部を備えた管理コンピュータに、前記条件を取得する入力処理と、前記収納物情報記憶部から前記収納場所情報と前記画像情報と前記収納物情報とを出力する出力処理と、を実行させることを要旨としている。
【００４０】
このような構成によれば、収納場所情報をもとに収納場所付近にたどり着いた利用者は画像情報をもとに収納場所近辺を探索することができる。すなわち、収納場所情報に示された位置に収納されていなくとも画像情報をもとに探索することができる。また、検索条件によって検索された収納物は、実際に手に取るまで目的とする物かどうかの判断がされ難い。表紙やパッケージ等の収納物の外観は多くの情報を含んでいるため、利用者は収納物情報のみならず画像情報からも収納物の特徴を把握することが可能となり、収納場所に移動する前に目的とする収納物をより的確に把握することができる。
【００４１】
この発明の第６の態様では、複数の収納物の中から一定の条件に当てはまる検索対象を検索するための収納物検索プログラムを記憶した記憶媒体であって、前記収納物検索プログラムは、前記収納物の収納場所を画像で示す収納場所情報と前記収納物の外観を画像で示す画像情報と前記収納物の概要を示す収納物情報とを記憶する収納物情報記憶部を備えた管理コンピュータに、前記条件を取得する入力処理と、前記収納物情報記憶部から前記収納場所情報と前記画像情報と前記収納物情報とを出力する出力処理と、を実行させることを要旨としている。
【００４２】
このような構成によれば、収納場所情報をもとに収納場所付近にたどり着いた利用者は画像情報をもとに収納場所近辺を探索することができる。すなわち、収納場所情報に示された位置に収納されていなくとも画像情報をもとに探索することができる。また、検索条件によって検索された収納物は、実際に手に取るまで目的とする物かどうかの判断がされ難い。表紙やパッケージ等の収納物の外観は多くの情報を含んでいるため、利用者は収納物情報のみならず画像情報からも収納物の特徴を把握することが可能となり、収納場所に移動する前に目的とする収納物をより的確に把握することができる。
【発明を実施するための最良の形態】
【００４３】
以下、この発明を具体化した一実施の形態を図面に従って説明する。
図１は、本実施の形態にかかる収納物検索システムの全体構成を示している。なお、本実施形態は収納物として図書館の蔵書を検索するシステムであるが、ＣＤショップや書店等の店舗にも利用することは可能である。
【００４４】
図１に示すように、収納物検索システムは、サーバ装置１と、そのサーバ装置１にネットワーク２を介して接続している端末装置３と、から構成されている。また、端末装置３からはカード４が出力される。なお、サーバ装置１に接続している端末装置３の個数は適宜変更可能である。
【００４５】
利用者は端末装置３に検索条件を入力する。入力された検索条件はネットワーク２を介してサーバ装置１に受信され、サーバ装置１はその検索条件に基づき検索を行う。サーバ装置１による検索結果はネットワーク２を介して端末装置３に受信される。検索結果を受信した端末装置３はその検索結果を表示するとともにカード４に印刷する。
【００４６】
まず、端末装置３の構成について説明する。
図２は、端末装置３の構成を示すブロック図である。
端末装置３は、パーソナルコンピュータ５とそのパーソナルコンピュータ５に接続された印刷装置（本実施形態ではカラープリンタ）６とから構成されている。
【００４７】
パーソナルコンピュータ５は、表示装置７と、入力装置８と、端末側通信制御インターフェイス部９（以後、端末側通信制御ＩＦ部９とする）と、端末側制御部１０と、入出力制御インターフェイス部１１（以後、入出力制御ＩＦ部１１とする）と、を備えている。
【００４８】
表示装置７は、サーバ装置１から受信したメニュー画面や検索結果を表示する。
入力装置８は、入力手段としての機能を備えており、利用者は表示装置７に表示されたメニュー画面にしたがって入力装置８から書名や著者名、検索対象を特定するためのキーワード等の検索条件を入力し検索を実行する。入力装置として、例えば、キーボード８ａやマウス８ｂ（図１参照）等がある。
【００４９】
なお、表示装置７と入力装置８としての機能を有するタッチパネル機能を備えたディスプレイ装置を採用することもできる。
入出力制御ＩＦ部１１は、端末側制御部１０と入力装置８、表示装置７及びカラープリンタ６とのインターフェイスとしての機能を有する。なお、カラープリンタ６とパーソナルコンピュータ５とが備える機能を一体として構成することもできる。
【００５０】
端末側通信制御ＩＦ部９は、サーバ装置１とのインターフェイスとしての機能を備えている。端末側通信制御ＩＦ部９は、入力された検索条件などのデータをサーバ装置１に送信可能な形式に変換するとともに送信し、サーバ装置１から受信した検索結果やメニュー画面などのデータを端末側制御部１０が判断できる形式に変換するとともに出力する。
【００５１】
端末側制御部１０は、Ｗｅｂブラウザ１２と印刷処理部１３とを備えている。パーソナルコンピュータ５が送受信する検索条件や検索結果、サーバ装置１からの命令等は、端末側制御部１０によって解釈され入出力制御ＩＦ部１１や端末側通信制御ＩＦ部９に適宜出力される。
【００５２】
Ｗｅｂブラウザ１２は、サーバ装置１から受信した命令を解釈して表示装置７にメニュー画面や検索結果などを表示する。利用者は、このメニュー画面に従って入力装置８から入力操作を行う。
【００５３】
印刷処理部１３は、利用者がメニュー画面で選択した検索結果を印刷データとしてカラープリンタ６で印刷可能な形式に変換する処理を行う。印刷処理部１３によって変換された印刷データは入出力制御ＩＦ部１１を介してカラープリンタ６に送信される。
【００５４】
次に、カラープリンタ６について説明する。
カラープリンタ６は、印刷手段であり、パーソナルコンピュータ５から受信した印刷データを印刷媒体としてのカード４にカラー印刷する。なお、印刷手段は端末装置３と一体に構成されても良い。カード４に印刷される印刷データについては後述する。なお、本実施形態においては、表示装置７とカラープリンタ６とが出力手段に相当する。
【００５５】
次に、本実施の形態に係るサーバ装置１について説明する。
サーバ装置１は、受信した検索条件に当てはまる図書を検索しその検索結果を送信する。
【００５６】
図３はサーバ装置１の構成を示すブロック図である。
図３に示すようにサーバ装置１は、通信制御インターフェイス部１４（以後、通信制御ＩＦ部１４とする）と、制御部１５と、収納物情報記憶部１６とを備える。
【００５７】
通信制御ＩＦ部１４は、ネットワーク２（図１参照）に対するインターフェイスとしての機能を有する。通信制御ＩＦ部１４は、受信した検索条件などを含む通信データを制御部１５が判断できる状態に変換し制御部１５へ出力するとともに、制御部１５から入力された検索結果等を含むデータをネットワーク２に送信可能な通信データに変換しネットワーク２へ送信する。
【００５８】
制御部１５は、検索処理部２０と、サイズ画像処理部２１と、図書画像処理部２２と、フロア画像処理部２３と、データ変換処理部２４とを備える。制御部１５は、通信制御ＩＦ部１４から入力された検索条件に基づき収納物情報記憶部１６に記憶されている図書情報から検索条件に当てはまるものを検索しその検索結果を通信制御ＩＦ部１４へ出力する。
【００５９】
検索処理部２０は、検索手段としての機能を有し、検索条件に一致し検索対象となった図書を検索し、その検索対象に関する情報を収納物情報記憶部１６から取得する処理を行う。
【００６０】
サイズ画像処理部２１は、検索対象となった図書のサイズを取得し、その図書のサイズをＡ４などの規格サイズと比較した画像データを作成する処理を行う。
図書画像処理部２２は、検索対象となった図書の背表紙及び表表紙の画像データを取得する処理を行う。
【００６１】
フロア画像処理部２３は、検索対象となった図書の収納場所付近の地図とともにその図書の位置が記されている画像データを作成する処理を行う。
データ変換処理部２４は、検索処理部２０、サイズ画像処理部２１、図書画像処理部２２及びフロア画像処理部２３で作成された各種データを変換し通信制御ＩＦ部１４に出力可能な状態に変換する処理を行う。
【００６２】
次に、収納物情報記憶部１６が記憶する情報（図４〜図７参照）を制御部１５が備える各処理部（図３参照）と対応させて説明する。
収納物情報記憶部１６は、図書情報データベース３０と、サイズ情報データベース３１と、図書画像データベース３２と、フロア情報データベース３３と、Ｗｅｂデータベース３４とを備えており収納物及び収納場所に関する各種データを記憶している。
【００６３】
図書情報データベース３０は、図書情報データ４０を記憶する。図４は図書情報データ４０の具体例である。図書情報データ４０は、例えば図書識別記号４０ａ、分類４０ｂ、タイトル４０ｃ、サイズ４０ｄ、収納場所４０ｅ等の情報を文字や記号、数字などで示す。図書識別記号４０ａは、文字や数字、記号などによって図書を区別するための情報である。分類４０ｂは、例えば、歴史や産業、地理というように図書に記載されている内容の属する分野を示す情報である。タイトル４０ｃは、書名などである。サイズ４０ｄは、例えば、Ａ４やＢ５など図書の大きさやページ数などの情報である。収納場所４０ｅは、例えば、その図書が収納されている階や棚番号などの情報である。
【００６４】
検索処理部２０（図３参照）は、図書情報データベース３０から検索対象となった図書に関する図書情報を取得する。
サイズ情報データベース３１は、サイズ情報データ４１を記憶する。図５（ａ）はサイズ情報データ４１の具体例である。サイズ情報データ４１は、例えば、サイズ識別記号４１ａとサイズデータ４１ｂとを備えている。サイズ識別記号４１ａは、図書識別記号４０ａに対応して設定されている。
【００６５】
サイズ画像処理部２１（図３参照）は、サイズ情報データベース３１から取得したサイズデータ４１ｂに基づき、例えば図５（ｂ）に示すようなサイズ比較画像４１ｃを表示するためのデータを作成する処理を行う。なお、サイズ比較画像４１ｃは、検索対象となった図書（図５（ｂ）において実線）とＡ４などの規格サイズ（図５（ｂ）において一点破線で示す）とを比較した画像である。
【００６６】
図書画像データベース３２は、図書識別画像データ４２を記憶する。図６（ａ）は図書識別画像データ４２の具体例である。図書識別画像データ４２は、例えば、図書画像識別記号４２ａと図書画像データ４２ｂとを備えている。図書画像識別記号４２ａは、図書情報データ４０が備える図書識別記号４０ａに対応して設定されている。図書画像データ４２ｂは図６（ｂ）に示すような図書の背表紙４２ｄ及び表表紙４２ｅの画像である図書識別画像４２ｃを作成するためのデータである。
【００６７】
図書画像処理部２２は、図書画像データベース３２から検索対象となった図書の図書識別画像データ４２を取得する処理を行う。
フロア情報データベース３３は、図書館内の棚や出入り口の配置等の画像データであるフロア情報データ４３を記憶する。図７（ａ）はフロア情報データ４３の具体例である。フロア情報データ４３は、例えば、フロア情報識別記号４３ａとフロア画像データ４３ｂとを備えている。フロア画像データ４３ｂは、図７（ｂ）に示すような図書の収納場所を示す収納位置画像４３ｃを作成するためのデータである。
【００６８】
フロア画像処理部２３は、フロア情報データベース３３から検索対象となった図書のフロア情報データ４３を取得する。
Ｗｅｂデータベース３４は、端末装置３に送信される各種のメニュー画面のデータ等が記憶されている。利用者はメニュー画面の指示に従い検索条件の入力や印刷対象の選択等を行う。
【００６９】
次に、本実施の形態に係る図書検索システムによる処理について説明する。
図８は、本実施の形態に係る図書検索システムの処理を示すフローチャートである。なお、端末装置３及びサーバ装置１の構成は図２及び図３を適宜参考されたい。
【００７０】
まず、利用者はパーソナルコンピュータ５の表示装置７（図１参照）に表示されるメニュー画面にしたがって、検索する図書の検索条件を入力装置８（図１参照）から入力する（ステップ１０１）。入力された検索条件は端末側通信制御ＩＦ部９からネットワーク２へ送信される（ステップ１０２）。
【００７１】
ネットワーク２に送信された検索条件は、サーバ装置１の通信制御ＩＦ部１４によって受信される（ステップ１０３）。通信制御ＩＦ部１４はその検索条件を制御部１５に出力する。検索条件が入力された制御部１５は、検索処理部２０により検索条件に当てはまる検索対象となった図書を検索し（ステップ１０４）その図書の図書情報データ４０を取得する（ステップ１０５）。
【００７２】
また、検索対象となった図書を検索した制御部１５は、図書画像処理部２２によって図書画像データベース３２から図６（ａ）に示した図書画像識別データ４２を取得し、図６（ｂ）に示すような図書識別画像４２ｃを表示するための画像データを作成する（ステップ１０６）。
【００７３】
また、サイズ画像処理部２１によってサイズ情報データベース３１から図５（ａ）に示すようなサイズ情報データ４１を取得し、図５（ｂ）に示すようなサイズ比較画像４１ｃを表示するための画像データを作成する（ステップ１０７）。なお、サイズ比較画像４１ｃは、規格サイズを示す枠４１ｄ（図５（ｂ）において破線で示す）と、サイズ情報データ４１に含まれるサイズデータ４１ｂにより形成されるその図書の大きさを示す枠４１ｅ（図５（ｂ）において実線で示す）の画像を含む。
【００７４】
また、フロア画像処理部２３によってフロア情報データベース３３から図７（ａ）に示すようなフロア情報データ４３を取得し、図７（ｂ）に示すような検索条件に該当する図書の収納場所を示す収納位置画像４３ｃを表示するための画像データを作成する（ステップ１０８）。
【００７５】
検索条件に該当した図書及びその図書が収納されている場所の各種データを取得した制御部１５は、データ変換処理部２４により、各種データを組み合わせ検索結果としての通信データを作成する（ステップ１０９）。
【００７６】
制御部１５によって作成された検索結果は通信制御ＩＦ部１４に出力されネットワーク２に送信される（ステップ１１０）。
ネットワーク２に送信された通信データは端末装置３の端末側通信制御ＩＦ部９によって受信される（ステップ１１１）。端末側通信制御ＩＦ部９は、受信した通信データを端末側制御部１０に出力する。
【００７７】
端末側制御部１０に入力された通信データは検索結果として表示装置７に出力され表示される（ステップ１１２）。このとき、利用者は表示装置７を介して検索結果を認識する。利用者は、表示装置７に標示されるメニュー画面の指示に従って、印刷対象とする図書を選択する。
【００７８】
端末側制御部１０は、印刷処理部１３により、印刷対象となった図書についての検索結果がカラープリンタ６で印刷可能な状態となるように変換し印刷データを作成する（ステップ１１３）。作成された印刷データは入出力制御ＩＦ部１１に出力され、カラープリンタ６へ送信される（ステップ１１４）。
【００７９】
印刷データを受信（ステップ１１５）したカラープリンタ６は、その印刷データを検索結果として図１に示すようなカード４に印刷する（ステップ１１６）。
次に、カラープリンタ６から出力されるカード４について詳述する。
【００８０】
図９は、本発明に係る収納物検索システムによって出力されるカード４である。
カード４は、紙を材料としており手のひらサイズの略長方形状に形成されている。また、カード４には分離手段としてのミシン目４ａが形成されており、カード４をミシン目４ａを境に第１片４ｂと第２片４ｃとに分離することが可能である。
【００８１】
第１片４ｂには図書情報データ４０（図４参照）に基づく図書情報４０ｆと、図書画像データ４２ｂに基づく図書識別画像４２ｃ（図６（ａ）及び（ｂ）参照）と、サイズ情報データ４１に基づくサイズ比較画像４１ｃ（図５（ａ）及び（ｂ）参照）とが印刷される。また、第２片４ｃにはフロア情報データ４３に基づいて収納位置画像４３ｃを示す地図が印刷される。
【００８２】
以上記述したように、本実施の形態によれば、以下の効果を奏する。
（１）利用者は検索対象に関する情報が記載されたカード４を携帯することにより情報を随時確認しながら探索することができる。また、複数の収納物の検索結果を保持することができるため効率よく探索することができる。
【００８３】
（２）収納位置画像４３ｃをもとに収納場所付近にたどり着いた利用者は図書識別画像４２ｃをもとに収納場所近辺を探索することができる。すなわち、収納位置画像４３ｃに示された位置に収納されていなくとも図書識別画像４２ｃをもとに探索することができる。また、図書識別画像４２ｃによって収納場所に移動する前に目的とする収納物をより的確に把握することができる。
【００８４】
（３）利用者はサイズ比較画像４１ｃにより検索対象の収納物と他の収納物とを大きさで識別することが可能となるため検索対象となった収納物と他の収納物とを大まかに識別することができる。よって、収納物の探索が容易となる。
【００８５】
（４）図書識別画像４２ｃとして図書の背表紙４２ｄと表表紙４２ｅとが印刷されているため、利用者は背表紙のみならず、表表紙によっても図書を探索することができる。よって、平積みされているため背表紙によって探索できない場合でも、表表紙によって目標とする図書を容易に発見することができる。
【００８６】
（５）検索対象の情報がカード４にカラー印刷されるため図書の外観や収納場所周辺の色彩情報が的確となり、より詳しい情報を提供することができる。よって、利用者はより的確な情報を得ることができる。また、検索対象となる図書と他の図書とを色によって識別することが可能となるため探索が容易となる。
【００８７】
（６）カード４に形成されたミシン目４ａにより図書情報４０ｆ、サイズ比較画像４１ｃ、図書識別画像４２ｃなどの図書情報が記載された第１片４ｂと収納位置画像４３ｃなどの収納場所情報が記載された第２片４ｃとを別体とすることが可能となる。よって、利用者は図書情報と収納場所情報とを一体に保管することができるとともに、図書情報または収納場所情報を備えた第１片４ｂと第２片４ｃをそれぞれの情報に応じた用途に用いることもできる。例えば、図書情報が印刷された第１片４ｂを図書履歴とするなどカード４を有効に活用することができる。
【００８８】
（７）カード４は紙製であるため容易に形状を変化させることができる。よって適宜カード４の形状を変化させ情報を携帯することができる。
なお、上記実施の形態では、以下の態様に変更した変形例を採用してもよい。
（変形例１）上記実施形態において、サーバ装置１と端末装置３を１つのコンピュータにより実現してもよい。また、上記収納物検索システムは、１つ又は複数のコンピュータに収納物検索プログラムをインストールすることにより実現されることもできる。尚、上記実施形態又はこの変形例に於いて、収納物検索プログラムは、フレキシブルディスクやＣＤ−ＲＯＭ等の可搬型媒体やネットワーク接続された他の計算機の主記憶装置や補助記憶装置等に格納されて提供される。提供された収納物検索プログラムは、可搬型媒体から直接計算機の主記憶装置にロードされ、または、可搬型媒体から一旦補助記憶装置にコピーもしくはインストール後に主記憶装置にロードされ実行される。また、ネットワーク接続された他の装置に格納されて提供された場合も、他の装置からネットワークを経由して受信後に補助記憶装置にコピーもしくはインストールされ、主記憶装置にロードされ実行されるものである。
【００８９】
（変形例２）画面に検索結果を表示する検索システムに、その検索結果に基づきカード４に記載されるような書式の印刷データを作成し印刷する印刷機を付加することにより収納物検索システムを構成することもできる。
【００９０】
（変形例３）上記実施形態ではカード４は、紙製としたがプラスチック樹脂を材料としても良い。カード４をプラスチック製とすることにより、保管に適した物となり印刷された情報の管理が容易となる。また、メニュー画面等で利用者にカード４の材質の選択を促してもよい。
【００９１】
（変形例４）ミシン目４ａに替えて、切り取り線を示す破線等を印刷してもよい。
（変形例５）収納位置画像４３ｃはフロア全体の画像に限らず、検索対象となった図書の収納場所付近のみを表示してもよい。
【００９２】
（変形例６）図書情報４０ｆ、サイズ比較画像４１ｃ、図書識別画像４２ｃ、及び、収納位置画像４３ｃの配置は上記実施形態に限らない。また、ミシン目４ａを形成せずとも上記（１）〜（５）及び（７）に記載した効果を奏することができる。
【００９３】
（変形例７）分離手段としては、上記実施形態に示したミシン目４ａに限らず、例えば、シールに収納位置画像４３ｃを印刷することにより図書情報と収納場所情報とを分離することも可能である。このような構成によれば、カード４の大きさや形状を変化させることなく図書情報と収納場所情報とを分離することができる。
【図面の簡単な説明】
【００９４】
【図１】本発明の一実施の形態における図書検索システムの全体構成図。
【図２】本発明の一実施の形態の構成を示すブロック図。
【図３】本発明の一実施の形態の構成を示すブロック図。
【図４】データの概略構成図。
【図５】（ａ）データの概略構成図、（ｂ）そのデータによって生成される画像の概略構成図。
【図６】（ａ）データの概略構成図、（ｂ）そのデータによって生成される画像の概略構成図。
【図７】（ａ）データの概略構成図、（ｂ）そのデータによって生成される画像の概略構成図。
【図８】本発明にかかる収納物検索システムの処理を示すフローチャート
【図９】カード４の概略構成図。
【符号の説明】
【００９５】
１…サーバ装置、３…端末装置、４…カード、４ａ…分離手段としてのミシン目、４ｂ…第１片、４ｃ…第２片、６…カラープリンタ、１６…収納物情報記憶部、２１…サイズ画像処理部、２２…図書画像処理部、２３…フロア画像処理部、２４…データ変換処理部、３１…サイズ情報データベース、３２…図書画像データベース、３３…フロア情報データベース、４０ｅ…収納場所、４１…サイズ情報データ、４２…図書識別画像データ、４３…フロア情報データ。
【図１】
2006163809.tif 000003
【図２】
2006163809.tif 000004
【図３】
2006163809.tif 000005
【図４】
2006163809.tif 000006
【図５】
2006163809.tif 000007
【図６】
2006163809.tif 000008
【図７】
2006163809.tif 000009
【図８】
2006163809.tif 000010
【図９】
2006163809.tif 000011